(57)【要約】【課題】ケーブルの仕様状況に対して柔軟に対応することができ、利便性を向上させることができるコード巻き取り器を提供すること。【解決手段】コードをその長手方向の途中部分から巻き取り、また巻き取ったコードを送り出す巻回部と、前記巻回部と前記コードとを固定する固定部と、前記固定部の固定解除を行う解除部とを備えていることを特徴とする。このコード巻き取り器によれば、コードを長手方向にスライドさせることができる。【選択図】図２
2010149990.tif 000002
【特許請求の範囲】
【請求項１】
コードをその長手方向の途中部分から巻き取り、また巻き取ったコードを送り出す巻回部と、
前記巻回部と前記コードとを固定する固定部と、
前記固定部の固定解除を行う解除部とを備えていることを特徴とするコード巻き取り器。
【請求項２】
前記固定部が、
前記巻回部と前記コードとを固定する固定位置と、前記固定を解除する解除位置との間で移動可能に設けられていることを特徴とする請求項１に記載のコード巻き取り器。
【請求項３】
前記巻回部の巻き取り動作をロック及び解除するロック機構を備えることを特徴とする請求項１又は請求項２に記載のコード巻き取り器。
【請求項４】
前記固定位置に配されるように前記固定部を付勢する固定用付勢部が設けられていることを特徴とする請求項２に記載のコード巻き取り器。
【請求項５】
前記巻回部を支持する本体部と、
前記コードを巻き取る方向に前記巻回部を付勢する巻回用付勢部とを備え、
前記コードの一端には、前記コードの断面よりも大きい接続体が接続され、
前記本体部には、前記コードの断面よりも大きく、かつ、前記接続体の断面よりも小さい案内孔が設けられており、
前記長手方向のうち前記接続体の側に偏心した部分から前記巻回部によって前記コードが巻回されると、前記接続体が前記案内孔の縁に当接し、前記巻回用付勢部の付勢力に抗して前記巻回部が固定されることを特徴とする請求項１から請求項４のいずれか一項に記載のコード巻き取り器。
【発明の詳細な説明】
【技術分野】
【０００１】
本発明は、例えばイヤホンやヘッドホンなどのコードを巻き取り、また、巻き取られたコードを送り出すコード巻き取り器に関する。
【背景技術】
【０００２】
従来、例えばイヤホンやヘッドホンなどの周辺機器が多く普及しているが、これら周辺機器の未使用時にはコードを巻き取り、使用時には、巻き取られたコードを送り出す種々のコード巻き取り器が利用されている（例えば、特許文献１，２参照。）。
これらコード巻き取り器は、コードを巻き取る巻き取り部と、コードを巻き取る方向に巻き取り部を付勢するバネとを備えるものが一般的である。
そして、コードの長手方向の中央の部分を巻き取り部に固定した状態で、バネの付勢力によって巻き取り部がコードをその中央の部分から巻き取るようになっている。
これにより、未使用時には、巻き取り部にコードを巻き取らせ、使用時には、巻き取り部からコードを送り出すことができる。
【特許文献１】特開２００２−２９６６３号公報
【特許文献２】実用新案登録第３１１９４８４号公報
【発明の開示】
【発明が解決しようとする課題】
【０００３】
しかしながら、上記のようなコード巻き取り器では、コードの中央の部分に巻き取り部が固定されることから、例えばコードの使用時などに、巻き取り部が邪魔になることがあり、使い勝手がよくないという問題がある。
【０００４】
本発明は、このような事情に鑑みてなされたものであって、ケーブルの仕様状況に応じて柔軟に対応することができ、利便性を向上させることができるコード巻き取り器を提供することを目的とする。
【課題を解決するための手段】
【０００５】
上記課題を解決するために、本発明は以下の手段を提供する。
本発明は、コードをその長手方向の途中部分から巻き取り、また巻き取ったコードを送り出す巻回部と、前記巻回部と前記コードとを固定する固定部と、前記固定部の固定解除を行う解除部とを備えていることを特徴とする。
【発明の効果】
【０００６】
本発明によれば、コードの仕様状況に応じて柔軟に対応することができ、利便性を向上させることができる。
【発明を実施するための最良の形態】
【０００７】
（実施形態１）
以下、本発明の第１の実施形態におけるコード巻き取り器について、図面を参照して説明する。
図１は、本発明の第１の実施形態としてのコード巻き取り器を示したものである。
コード巻き取り器１は、イヤホン１００を巻き取り、または送り出すものである。
まず、イヤホン１００について説明する。
イヤホン１００は、使用者の耳に取り付けられるイヤホン本体部（接続体）１０１と、不図示の音声再生装置に着脱可能に取り付けられるプラグ（接続体）１０３と、これらイヤホン本体部１０１とプラグ１０３とを連結するコード１０２とを備えている。
このような構成のもと、音声再生装置にプラグ１０３を差し込み、イヤホン本体部１０１を耳に入れた状態で、音声再生装置を再生すると、イヤホン本体部１０１から音声が出力され、使用者はその音声を聞くことができるようになっている。
【０００８】
次いで、本発明に係るコード巻き取り器１について説明する。
コード巻き取り器１は、巻回部３と、この巻回部３を支持する本体部２とを備えている。
本体部２は、図２に示すように、円板状の基板部２２と、この基板部２２に設けられる蓋部２１とを備えている。
基板部２２には、この基板部２２よりも径寸法の小さい円筒壁部２２ａが設けられている。円筒壁部２２ａは、基板部２２と同心状に配置されている。さらに、基板部２２の側壁には、一対の突出板部２２ｂが設けられている。これら突出板部２２ｂは、矩形板状に形成されている。また、突出板部２２ｂは、基板部２２の径方向に延びる仮想直線Ｌ上に配され、互いに径方向外方に突出している。
また、蓋部２１は、筒孔２１ｂが設けられた円筒状に形成されている。この蓋部２１の径寸法は、基板部２２の径寸法と同一に設定されている。
【０００９】
蓋部２１の側壁のうち、仮想直線Ｌ上には、互いに径方向外方に突出した突出部２１ａが一体に設けられている。突出部２１ａは、断面コ字状にされて仮想直線Ｌ方向に延ばされており、下方側（基板部２２側）が開放端とされている。また、突出部２１ａの突出寸法Ｄ１および幅寸法Ｗ１は、突出板部２２ｂの突出寸法Ｄ２および幅寸法Ｗ２と同一に設定されている。
そして、蓋部２１が基板部２２に上面に取り付けられると、突出部２１ａが突出板部２２ｂの上面に配置されるようになっている。これにより、突出部２１ａと突出板部２２ｂとによって区画される矩形状の案内孔２１１ａが形成されるようになっている。
案内孔２１１ａの開口面は、コード１０２の横断面よりも大きく設定され、かつ、プラグ１０３及びイヤホン本体部１０１の断面よりも小さく設定されている。したがって、案内孔２１１ａには、コード１０２を通すことはできるものの、プラグ１０３及びイヤホン本体部１０１を通すことはできないようになっている。
【００１０】
巻回部３は、基板部２２の中央から立ち上げられた円筒状の巻回本体部３２と、この巻回本体部３２の側壁を外周から覆うようにして設けられた巻回外周部３１とを備えている。
巻回外周部３１は、円筒状に形成されており、その径寸法が、巻回本体部３２の径寸法よりも大きく、かつ、円筒壁部２２ａの径寸法よりも小さく設定されている。また、巻回外周部３１の側壁には、一対の切欠３１ａが形成されている。切欠３１ａは、互いに仮想直線Ｌ上に配置されるようになっている。切欠３１ａの幅寸法は、コード１０２の径寸法よりも大きく設定されている。すなわち、コード１０２は、切欠３１ａ内を挿通するようになっている。また、巻回外周部３１は、巻回用コイルばね（巻回用付勢部）６（図４に示す）により、コード１０２を巻き取る方向に付勢されている。すなわち、巻回外周部３１は、巻回用コイルばね６により、軸線Ｍを中心として正方向に回転するように付勢されている。
さらに、基板部２２には、巻回外周部３１の回転のロック及び解除を行うロック機構７（図４に示す）が設けられている。ロック機構７は、不図示のスイッチを備えており、このスイッチが操作されることにより、巻回外周部３１を解放して回転可能な状態にしたり、または巻回外周部３１をロックして回転不能な状態にするように選択的に切り替えるようになっている。
【００１１】
また、巻回本体部３２は、図３に示すように、円筒状の筒状本体部３２２と、この筒状本体部３２２の上端に設けられた操作ボタン３２１とを備えている。
筒状本体部３２２は、互いに同心状に配された大径部３２２１と小径部３２２２とを備えている。これら大径部３２２１と小径部３２２２とは、円筒状に形成されている。
大径部３２２１は、基板部２２と一体に形成されている。
一方、小径部３２２２は、大径部３２２１の内方において、大径部３２２１に対して軸線Ｍ方向にスライド可能に支持されている。なお、軸線Ｍは、基板部２２の中心点において基板部２２に直交する方向に延びる仮想直線である。小径部３２２２には、不図示の抜け止め防止手段が設けられており、この抜け止め防止手段により、小径部３２２２が大径部３２２１の先端から抜け出ることが防止されるようになっている。また、小径部３２２２の内壁には雌ネジ３２１ａが形成されている。さらに、小径部３２２２の下端には、不図示の連結部を介して、後述する固定壁部（固定部）４に連結されている。
【００１２】
また、操作ボタン３２１は、円形の天板部３２１１と、この天板部３２１１の下面から延ばされた円柱状の操作本体部３２１２とを備えている。これら天板部３２１１と操作本体部３２１２とは、同心状に配されて一体に形成されている。また、操作本体部３２１２の外側壁には、雄ネジ３２２ａが形成されている。
すなわち、雄ネジ３２２ａが雌ネジ３２１ａに噛み合わされることにより、操作ボタン３２１が筒状本体部３２２に取り付けられるようになっている。
そして、操作ボタン３２１が、押下されることにより、小径部３２２２が大径部３２２１に対して下方にスライドし、連結部を介して後述する固定壁部（固定部）４を移動させるようになっている。
なお、連結部は、ギアやカムなどによって固定壁部４を移動させるような機械的な機構であってもよいし、アクチュエータなどによって固定壁部４を移動させるような電気的な機構であってもよい。
【００１３】
さらに、図４に示すように、径方向における巻回本体部３２と巻回外周部３１との間には、固定壁部４が設けられている。固定壁部４は、基板部２２の中心点を中心とする円弧状に形成されている。そして、固定壁部４は、自身の外面４ａと巻回外周部３１の内面３１ｂとでコード１０２を径方向に押圧することによって、コード１０２の長手方向の移動を固定する固定位置Ｐと、その固定を解除しコード１０２を解放する解除位置Ｑとの間を周方向に往復動するようになっている。また、固定壁部４は、固定用コイルばね（固定用付勢部）５によって固定位置Ｐに配される方向に付勢されている。
このような構成のもと、操作ボタン３２１が押下されると、固定壁部４が、固定用コイルばね５の付勢力に抗して、固定位置Ｐから解除位置Ｑに移動し、操作ボタン３２１が解放されると、固定用コイルばね５の付勢力によって、解除位置Ｑから固定位置Ｐに移動するようになっている。
【００１４】
次に、このように構成された本実施形態におけるコード巻き取り器１の使用方法について説明する。
まず、イヤホン１００を以下のようにしてコード巻き取り器１に収納する。
ロック機構７がロックされている状態において、基板部２２から蓋部２１を取り外し、さらに、巻回外周部３１を取り外す。そして、図２に示すように、一方の突出板部２２ｂから他方の突出板部２２ｂにわたってコード１０２を配する。このとき、コード１０２の長手方向の中央部（途中部分）が固定壁部４の外周側に配されるようにする。この状態で、基板部２２のうち円筒壁部２２ａの内方に巻回外周部３１を取り付ける。このとき、それぞれの切欠３１ａ内にコード１０２が配されるようにする。これにより、切欠３１ａと円筒壁部２２ａとによって区画された孔部にコード１０２が挿通された状態になる。
また、このときには、固定壁部４の外面４ａと巻回外周部３１の内面３１ｂとによってコード１０２が径方向に挟まれるため、コード１０２の長手方向の移動が規制される。
【００１５】
さらに、基板部２２に蓋部２１を取り付ける。このとき、突出部２１ａと突出板部２２ｂとが一致するようにする。これにより、突出部２１ａと突出板部２２ｂとによって区画された案内孔２１１ａをコード１０２が挿通された状態になる。
この状態で、不図示のスイッチを操作すると、ロック機構７のロックが解除され、巻回用コイルばね６の付勢力により巻回外周部３１が軸線Ｍを中心にして正方向に回転する。これにより、図５及び図６に示すように、コード１０２が巻回外周部３１の外周に巻き取られていく。そして、プラグ１０３又はイヤホン本体部１０１が案内孔２１１ａに当接すると、プラグ１０３及びイヤホン本体部１０１は案内孔２１１ａを通ることができないことから、巻回用コイルばね６の付勢力に抗して巻回外周部３１の回転が止まり、巻回外周部３１が固定される。
このように、ロック機構７によってロックされていなくても、コード１０２が巻き取られて巻回外周部３１がコード１０２を巻き取る方向に付勢された状態で、コード巻き取り器１が使用者に携行される。
【００１６】
一方、イヤホン１００を使用する場合には、プラグ１０３又はイヤホン本体部１０１を引っ張ると、巻回外周部３１が巻回用コイルばね６の付勢力に抗して逆方向に回転する。これにより、コード１０２が案内孔２１１ａを介して外方に送り出される。そして、所望の長さになったら、不図示のスイッチを操作して、ロック機構７により巻回外周部３１をロックし、その所望の長さの状態でコード１０２を固定する。
そして、プラグ１０３が音声再生装置に差し込まれ、イヤホン本体部１０１が使用者の耳に取り付けられた状態で、音声再生装置が再生されると、使用者がその音声を聞くことができる。
【００１７】
ここで、使用者の状況によっては、イヤホン１００を使用しているときに、コード巻き取り器１が邪魔になる場合がある。
その場合、使用者が、コード１０２を引っ張り出した状態で、図３に示すように、操作ボタン３２１を押すと、小径部３２２２が大径部３２２１に対して軸線Ｍの下方にスライドする。そして、図４に示すように、連結部を介して、固定壁部４が固定位置Ｐから解除位置Ｑに移動する。これにより、コード１０２の固定が解除され、コード１０２が解放されることにより長手方向に移動可能な状態となる。そこで、使用者は、操作ボタン３２１を押したまま、コード１０２を長手方向の所望の位置まで移動させる。そして、所望の位置で操作ボタン３２１を離すと、固定用コイルばね５の付勢力により固定壁部４が解除位置Ｑから固定位置Ｐに移動する。これにより、コード１０２が固定される。
【００１８】
また、図７の（ａ）及び（ｂ）に示すように、従来の巻き取り器では、例えば、コードの長手方向の中央部に巻き取り器を設置した状態において、コードを延ばして使用しているときに、外部からの衝撃や振動などの諸要因が加わると、使用中であるにもかかわらずコードが巻き取られてしまうという事態が生じてしまう。
本実施形態におけるコード巻き取り器１によれば、図７の（ｃ）及び（ｄ）に示すように、コード巻き取り器１自体をコード１０２の端部（例えばプラグ１０３側）にスライドさせることにより、使用中にロック機構７が解除されたとしても、プラグ１０３が案内孔２１１ａを通ることができず、巻回外周部３１が固定されるため、使用者の意に反して使用中にコード１０２が巻き取られてしまうという事態を防止することができる。
そして、コード１０２を巻き取るときには、コード巻き取り器１を分解する必要もなく上記のようにコード１０２の中央部分にスライドさせるだけでコード１０２が巻き取られて収納される。
【００１９】
図８は、コード巻き取り器１のスライド動作などを示すフローチャートである。
使用者は、コード１０２を本体部２から引き出すと（ステップＳ１）、操作ボタン３２１を押すことにより、コード１０２の固定が解除される（ステップＳ２）。そして、操作ボタン３２１を押したまま、本体部２をプラグ１０３側に移動させる（ステップＳ３）。さらに、操作ボタン３２１から手を離し操作ボタン３２１を解放する（ステップＳ４）。この状態で、ロック機構７を解除すると、巻回用コイルばね６の付勢力により、巻回外周部３１が回転しコード１０２を巻き取り始める。しかし、プラグ１０３が案内孔２１１ａに当接すると、巻回外周部３１が固定される（ステップＳ５）。これによって、コード１０２の巻取りが規制される（ステップＳ６）。
【００２０】
以上より、本実施形態におけるコード巻き取り器１によれば、コード１０２を長手方向にスライドさせることができ、そのため、使用状況に応じて柔軟に対応することができ利便性を向上させることができる。
また、固定壁部４が固定位置Ｐと解除位置Ｑとの間で往復移動可能であることから、コード１０２の固定と解除を迅速かつ容易に行うことができる。
また、ロック機構７が設けられていることから、コード１０２の長手方向の所望の位置で本体部２をロックすることができる。
また、固定用コイルばね５が、固定位置Ｐに配されるように固定壁部４を付勢していることから、操作ボタン３２１から手を離すという簡易な動作だけで、コード１０２を迅速かつ容易に固定することができる。
また、本体部２をコード１０２の端部（例えばプラグ１０３側）にスライドさせておくことにより、ロック機構７が使用者の意に反して解除されたとしても、コード１０２が巻き取られてしまうことを防止することができる。
【００２１】
なお、本発明の技術範囲は上記の実施形態に限定されるものではなく、本発明の趣旨を逸脱しない範囲において、種々の変更を加えることが可能である。
例えば、図９に示すように、コード１０２の中央部分に、識別マーク１０２ａを設けるようにしてもよい。これにより、コード１０２の中央部分を使用者に容易に知らしめることができる。
【図面の簡単な説明】
【００２２】
【図１】本発明に係るコード巻き取り器の実施形態を示す図であって、イヤホンを巻き取った様子を示す説明図である。
【図２】図１のコード巻き取り器を示す分解斜視図である。
【図３】図２の巻回本体部の一部を拡大して示す説明図である。
【図４】図２の巻回部を示す図であって、固定部が移動する様子を示す説明図である。
【図５】コードが巻き取られた様子を透過して示す説明図である。
【図６】図５のコード巻き取り器を示す平面図である。
【図７】コードの巻き取りの様子を示す図であって、（ａ）は、従来の巻き取り器をコードの中央部に設置した様子を示す説明図、（ｂ）は、従来の巻き取り器がコードを巻き取った様子を示す説明図、（ｃ）は、図１のコード巻き取り器においてコードを延ばして本体部をスライドさせた様子を示す説明図、（ｄ）は図１のコード巻き取り器においてプラグによって巻回外周部が固定された様子を示す説明図である。
【図８】コード巻き取り器のスライド動作などを示すフローチャートである。
【図９】イヤホンの変形例を示す説明図である。
【符号の説明】
【００２３】
１    コード巻き取り器
２    本体部
３    巻回部
４    固定壁部（固定部）
５    固定用コイルばね（固定用付勢部）
６    巻回用コイルばね（巻回用付勢部）
７    ロック機構
２１１ａ  案内孔
１０２  コード
１０３  プラグ（接続体）
１０１  本体部（接続体）
３２１  操作ボタン（解除部）
Ｐ    固定位置
Ｑ    解除位置
【図１】
2010149990.tif 000003
【図２】
2010149990.tif 000004
【図３】
2010149990.tif 000005
【図４】
2010149990.tif 000006
【図５】
2010149990.tif 000007
【図６】
2010149990.tif 000008
【図７】
2010149990.tif 000009
【図８】
2010149990.tif 000010
【図９】
2010149990.tif 000011